(57)【要約】【課題】使用性等に優れた効果を発揮する仮設型梯子用吊下げ治具を提供する。【解決手段】装架対象物としての反応塔１００に沿って昇降するために使用される仮設型梯子を装架する。反応塔１００に取付固定するための取付部１１と、仮設型梯子を垂下支持するための支持部１２とを備える。取付部１１は、サイドマンホール１００ｂの大きさ寸法に合せて伸縮可能に構成されたスライド機構を有する。支持部１２は、取付部１１に回動可能に支持されて拡縮可能に構成されたアーム機構を有する。取付部１１にてサイドマンホール１００ｂの側方より取り付けられ、支持部１２にて仮設型梯子が垂下される。【選択図】　　　　図３
2004035034.tif 000002
【特許請求の範囲】
【請求項１】
装架対象物に沿って昇降するために使用される仮設型梯子を装架するための仮設型梯子用吊下げ治具であって、
前記装架対象物に取付固定するための取付部と、前記仮設型梯子を垂下支持するための支持部とを備え、前記取付部にて前記装架対象物の側方より取り付けられ、前記支持部にて前記仮設型梯子が垂下されるようにしたことを特徴とする仮設型梯子用吊下げ治具。
【請求項２】
前記装架対象物は、側部に開設されたサイドマンホールを有する中空筒状構造体として構成され、前記取付部は、前記サイドマンホールの大きさ寸法に合せて伸縮可能に構成されたスライド機構を有することを特徴とする請求項１に記載の仮設型梯子用吊下げ治具。
【請求項３】
前記支持部は、前記取付部に回動可能に支持されて拡縮可能に構成されたアーム機構を有することを特徴とする請求項１または２に記載の仮設型梯子用吊下げ治具。
【請求項４】
前記取付部は、前記サイドマンホールに取付固定するための締着部材を有し、該締着部材が支軸のまわりに回動可能に支持されていることを特徴とする請求項１〜３のいずれか１項に記載の仮設型梯子用吊下げ治具。
【発明の詳細な説明】
【０００１】
【発明の属する技術分野】
本発明は、たとえば石油精製もしくは石油化学プラント等における反応塔の触媒の抜出しや充填作業において、反応塔の内部で作業者が昇降するために使用され、または高層ビル火災等の非常時脱出用として使用される仮設型昇降具用に好適な吊下げ治具に関する。
【０００２】
【従来の技術】
この種の作業では、作業者は反応塔または圧力容器塔の容器内部に入って一定の作業を行う（以下、入槽作業という）。反応塔はたとえば十数メートルの高さに達し、その内部で行われる入槽作業には触媒の抜き出し・充填作業、内部清掃作業、内部点検作業および内部足場組立て・解体作業等が含まれる。
【０００３】
図１０は、反応塔内における触媒抜き出し作業の様子を示している。図において１００は反応塔、１０１は反応塔１００内に充填されている触媒、１０２は触媒抜出しホース、１０３はパワープロベスタである。作業者Ｍは図示のように反応塔１００内で触媒抜出しホース１０２を操作し、パワープロベスタ１０３で触媒１０１を反応塔１００外部に抜き出すようにしている。
【０００４】
従来では反応塔１００に入槽する際、縄梯子を使用していた。すなわち、反応塔１００の頂部にあるマンホール１００ａから縄梯子を吊り下げ、その縄梯子を伝って触媒１０１の上に降りるようにしていた。あるいはまた、かかる縄梯子の代わりの金属製の梯子を使用することがある。
【０００５】
【発明が解決しようとする課題】
ところで、内部点検用のサイドマンホールを持つ再生塔等において、点検用縄梯子をサイドマンホールのフランジ部に固定する方法がとられている。しかしながら、たとえば作業者が内部を通り抜けるように構成された立体的な縄梯子は、実際上サイドマンホールのフランジ部に固定することができない。また、特にサイドマンホールのサイズが異なる場合等にあっては、縄梯子等の取付けに手間がかかり、作業が煩雑してしまう等の問題があった。
【０００６】
本発明はかかる実情に鑑み、特にサイドマンホール等に有効に適用可能で、使用性等に優れた効果を発揮する仮設型梯子用吊下げ治具を提供することを目的とする。
【０００７】
【課題を解決するための手段】
本発明の仮設型梯子用吊下げ治具は、装架対象物に沿って昇降するために使用される仮設型梯子を装架するための仮設型梯子用吊下げ治具であって、前記装架対象物に取付固定するための取付部と、前記仮設型梯子を垂下支持するための支持部とを備え、前記取付部にて前記装架対象物の側方より取り付けられ、前記支持部にて前記仮設型梯子が垂下されるようにしたことを特徴とする。
【０００８】
また、本発明の仮設型梯子用吊下げ治具において、前記装架対象物は、側部に開設されたサイドマンホールを有する中空筒状構造体として構成され、前記取付部は、前記サイドマンホールの大きさ寸法に合せて伸縮可能に構成されたスライド機構を有することを特徴とする。
【０００９】
また、本発明の仮設型梯子用吊下げ治具において、前記支持部は、前記取付部に回動可能に支持されて拡縮可能に構成されたアーム機構を有することを特徴とする。
【００１０】
また、本発明の仮設型梯子用吊下げ治具において、前記取付部は、前記サイドマンホールに取付固定するための締着部材を有し、該締着部材が支軸のまわりに回動可能に支持されていることを特徴とする。
【００１１】
本発明によれば、装架対象物であるたとえば反応塔は、特に上部付近の側部に開設されたサイドマンホールを有する。吊下げ治具はこのサイドマンホールに取り付けられ、仮設型梯子を垂下支持することができる。仮設型梯子は吊下げ治具によって、反応塔の中央部に垂下されることにより、概略矩形状に展開張架され、その内側に作業者の昇降用通路が形成される。
【００１２】
【発明の実施の形態】
以下、図面に基づき、従来例と実質的に同一または対応する部材には同一符号を用いて、本発明による仮設型梯子用吊下げ治具における好適な実施の形態を説明する。
図１は、この実施形態に係る反応塔１００の容器内での清掃作業の様子を示している。図において、容器中央に垂下された仮設型梯子１を伝って容器内の所定場所に移動することができる。なお、この種の作業では照明装置１０４を適宜使用し、また容器底部からブロアー装置１０５による強制排気が行われる。
【００１３】
反応塔１００は、上部付近の側部に開設されたサイドマンホール１００ｂを有する。吊下げ治具１０はサイドマンホール１００ｂに取り付けられ、たとえば図示のように仮設型梯子１を垂下支持することができる。
【００１４】
ここで、図２は本発明に係る仮設型梯子１の全体構成例を示している。なお、図１では使用時の形態が示されているが、図１において仮設型梯子１は縦綱２と縦綱２の長手方向に沿って一定間隔をおいて横架される金属製足掛けステップ３から構成され、対向する２台の梯子を、縦綱２の長手方向に沿って一定間隔をおいて配置されるように、仮設型梯子１の縦綱２に複数の横連結材４を横架し、２台の梯子を一体化して伸縮自在に構成されている。横連結材４の各々の略中央に、縦綱２の長手方向に沿って結束された補助縦綱５を備える。
【００１５】
仮設型梯子１は本発明による吊下げ治具１０によって、反応塔１００のサイドマンホール１００ｂから垂下されることにより、概略矩形状に展開張架され、その内側に昇降用通路が形成されるようにしたものである。図示例のように縦綱２のそれぞれ先端部２ａを吊下げ用に使用する。この場合、先端部２ａには吊下げ治具１０に取り付けるためのフック６が付設される。
【００１６】
図３は、仮設型梯子用吊下げ治具１０の全体構成例を示している。吊下げ治具１０は、反応塔１００のサイドマンホール１００ｂに取付固定するための取付部１１と、仮設型梯子１を垂下支持するための支持部１２とを備える。取付部１１にてサイドマンホール１００ｂの側方より取り付けられ、支持部１２にて仮設型梯子１が垂下されるようになっている。
【００１７】
取付部１１は、サイドマンホール１００ｂの両端に跨るように概略鞍状に構成され、典型的には角パイプ材でなるメインフレーム１３とこの両側に結合する端部フレーム１４，１５を含む。端部フレーム１４，１５がそれぞれサイドマンホール１００ｂの反応塔１００側開口部と入口側開口部に当接し、図示のように鞍状に取り付けられるようになっている。
【００１８】
端部フレーム１５側のメインフレーム１３には、図４に示すようにサイドマンホール１００ｂのフランジ１００ｃに締着する左右一対の締着部材１６が設けられる。この締着部材１６は支軸１７のまわりに回動可能に支持されるとともに、ボルトを挿通するための長穴１６ａが形成されている。
【００１９】
取付部１１のメインフレーム１３において、サイドマンホール１００ｂの大きさ寸法に合せて伸縮可能に構成されたスライド機構を有する。図５は、このスライド機構の構成例を示している。メインフレーム１３はスライド可能に嵌合する内パイプ１３ａおよび外パイプ１３ｂを含み、外パイプ１３ｂの端部から挿入されたスクリュ１８が内パイプ１３ａに固定されたナット１９に螺合している。スクリュ１８を右または左に回すことで、メインフレーム１３を伸縮させその長さを調節することができるようになっている。
【００２０】
支持部１２は、拡縮可能に構成されたアーム機構を有する。このアーム機構は図６のように、連結ピン２０を介して端部フレーム１４に回動可能に支持される基部フレーム２１と、この基部フレーム２１に結合する典型的には角パイプ材でなる支持アーム２２とを有している。端部フレーム１４には、図７のようにストッパ２３が固着し、基部フレーム２１がストッパ２３に当接することで支持アーム２２の回動動作を規制するようになっている。
【００２１】
図３に示されるように左右一対の支持アーム２２を有し、各支持アーム２２は略中間部位で内側に適度に屈曲している。基部フレーム２１と支持アーム２２の間には図３（ｂ）に示されるように補強部材２４が架け渡され、両者の結合強度を確保する。各支持アーム２２の先端は、ブリッジ部材２５によって連結されるようになっている。ブリッジ部材２５の一端側は支軸２６を介して一方の支持アーム２２の先端に回動可能に結合し、他端側は他方の支持アーム２２の先端にピン２７によって着脱可能に結合する。各支持アーム２２の下面には、仮設型梯子１のフック６（図２参照）が掛けられる複数の吊下げ部材２８を有する。
【００２２】
上記構成において、仮設型梯子１を使用するために吊下げ治具１０をサイドマンホール１００ｂに取り付ける際、まずピン２７を抜いてブリッジ部材２５を図３の２点鎖線で示すように折り畳み、支持アーム２２を縮ませた状態で吊下げ治具１０をサイドマンホール１００ｂに挿入する。この場合、図７の２点鎖線で示すようにサイドマンホール１００ｂの略中心部に挿入する。
【００２３】
つぎに、図８のように締着部材１６を支軸１７のまわりに回動して、サイドマンホール１００ｂのフランジ１００ｃに設けられているボルト穴にボルト２９を螺合させる。これにより締着部材１６がフランジ１００ｃに締着され、吊下げ治具１０を固定することができる。図３に示されるようにフランジ１００ｃの位置が異なる場合でも、スクリュ１８の操作でメインフレーム１３の長さを調節し、サイドマンホール１００ｂに適正かつ的確に取付固定することができる。
【００２４】
支持アーム２２はブリッジ部材２５を介して、図３の実線のように拡げられ、吊下げ部材２８にて仮設型梯子１を適正に垂下支持する。このように装架された仮設型梯子１は、サイドマンホール１００ｂから反応塔１００の容器内で垂下されることにより概略矩形状に展開張架され、その内側に昇降用通路が形成される。これにより作業者は容易に昇降することができる。
【００２５】
上記の場合、たとえば図９（ａ），（ｂ）に示すようにサイドマンホール１００ｂの大きさ（径）が異なる場合、その大きさに応じて締着部材１６を適宜回動して、いずれの場合もサイドマンホール１００ｂのフランジ１００ｃに締着部材１６を的確に締着することができる。
【００２６】
以上本発明の実施形態を説明したが、本発明の範囲内で適宜変更可能であり、上記実施形態の場合と同様な作用効果を得ることができる。
また、上記実施形態では本発明を反応塔等における入槽作業に使用する例で説明したが、本発明はその他の設備たとえばビル側壁やダム建設工事現場等において、この種の安全昇降設備を取り付ける場合にも有効に適用可能である。
【００２７】
【発明の効果】
以上説明したように本発明によれば、この種の昇降設備において適正かつ的確に垂下支持し、有効に作業者の利用に供することができる。その場合、作業の安全性を確保し円滑な作業に貢献し得るとともに、適用範囲を有効に拡大することができる等の利点を有している。
【図面の簡単な説明】
【図１】本発明の実施形態におけるリアクタの容器内での清掃作業の様子を示す図である。
【図２】本発明の実施形態における仮設型昇降設備の全体構成を示す図である。
【図３】本発明の実施形態における吊下げ治具の構成例を示す平面図および側面図である。
【図４】本発明の実施形態における締着部材まわりの構成例を示す平面図および正面図である。
【図５】本発明の実施形態におけるスライド機構まわりの構成例を示す断面図である。
【図６】本発明の実施形態における取付部および支持部の連結構造を示す平面図である。
【図７】本発明の実施形態におけるストッパの構成例を示す平面図である。
【図８】本発明の実施形態における取付時および取付状態を示すそれぞれ正面図である。
【図９】本発明の実施形態における締着部材の作用を示す図である。
【図１０】従来例における入槽作業を示す図である。
【符号の説明】
１　　仮設型梯子
６　　フック
１０　　吊下げ治具
１１　　取付部
１２　　支持部
１３　　メインフレーム
１４，１５　　端部フレーム
１６　　締着部材
１８　　スクリュ
２２　　支持アーム
２５　　ブリッジ部材
２８　　吊下げ部材
１００　　反応塔
１００ｂ　　サイドマンホール
１００ｃ　　フランジ
【図１】
2004035034.tif 000003
【図２】
2004035034.tif 000004
【図３】
2004035034.tif 000005
【図４】
2004035034.tif 000006
【図５】
2004035034.tif 000007
【図６】
2004035034.tif 000008
【図７】
2004035034.tif 000009
【図８】
2004035034.tif 000010
【図９】
2004035034.tif 000011
【図１０】
2004035034.tif 000012